(57)【特許請求の範囲】
【請求項１】
所定の帯域幅を有する伝送信号と、一定周波数で帯域幅のないパイロット信号とを混合し、該混合信号を送信側局発信号を用いてアップコンバートして送信アンテナから放射する送信装置を備えた送受信システムにおいて、前記送信装置からの送信電波を受信アンテナにて受信し、該受信信号から、前記送信装置がアップコンバートする前の元の伝送信号を復元するのに使用される受信装置であって、
前記受信信号を受信側局発信号を用いてダウンコンバートする周波数変換手段と、
該周波数変換手段にてダウンコンバートされた信号を、前記伝送信号に対応した受信伝送信号と前記パイロット信号に対応した受信パイロット信号とに分離する分離手段と、
該分離手段により分離された受信パイロット信号を一定周波数の基準信号にて周波数変換することにより、前記受信伝送信号から元の伝送信号を復元するための補正信号を生成する補正信号生成手段と、
前記分離手段にて分離された受信伝送信号を前記補正信号にて周波数変換することにより、前記送信装置がアップコンバートする前の元の伝送信号を復元する伝送信号復元手段と、
を備え、
前記分離手段は、
前記周波数変換手段にてダウンコンバートされた信号を２分配する分配器と、
前記分配器の一方の出力端子から前記補正信号生成手段に至る伝送経路上に設けられ、前記受信パイロット信号を選択的に通過させる、セラミックフィルタからなる第１バンドパスフィルタと、
前記分配器の他方の出力端子から前記伝送信号復元手段に至る伝送経路上に設けられ、前記受信伝送信号を選択的に通過させる、ＳＡＷフィルタからなる第２バンドパスフィルタと、
からなり、
前記第２バンドパスフィルタは、前記受信パイロット信号が、前記第１バンドパスフィルタを通過し、前記補正信号生成手段にて前記補正信号に変換されてから、前記伝送信号復元手段に入力されるまでの信号遅延時間と略同一の遅延時間で、前記受信伝送信号を遅延させるよう構成されていることを特徴とする受信装置。
【請求項２】
所定の帯域幅を有する伝送信号と、一定周波数で帯域幅のないパイロット信号とを混合し、該混合信号を送信側局発信号を用いてアップコンバートして送信アンテナから放射する送信装置と、
該送信装置からの送信電波を受信アンテナにて受信し、該受信信号を受信側局発信号を用いてダウンコンバートすることにより、前記伝送信号を復元する受信装置と、
を備えた送受信システムであって、
前記受信装置として、請求項１に記載の受信装置を備えたことを特徴とする送受信システム。
【発明の詳細な説明】
【技術分野】
【０００１】
本発明は、伝送信号をアップコンバートして送信する送信装置からの送信電波を受信し、その受信信号をダウンコンバートすることにより元の伝送信号を復元する受信装置、及び、この受信装置と送信装置とで構成される送受信システムに関する。
【背景技術】
【０００２】
従来、広帯域な信号を高品質に無線伝送するために、送信装置側では、受信装置側に伝送すべき伝送信号を、局部発振器で生成した局発信号を用いて、ＳＨＦ（センチ波）、ＥＨＦ（ミリ波）等のマイクロ波帯にアップコンバートし、そのアップコンバートした信号を送信アンテナから放射し、受信装置側では、送信アンテナからの送信電波を受信アンテナにて受信し、その受信信号を、送信装置側と同じ周波数の局発信号を用いてダウンコンバートすることにより、元の伝送信号を復元するよう構成された送受信システムが知られている。
【０００３】
また、この種の送受信システムでは、伝送信号の周波数変換（アップコンバート及びダウンコンバート）に用いる局発信号の周波数が、数ＧＨｚ〜数十ＧＨと極めて高く、変動し易いことから、送信装置側では、伝送信号と共に一定周波数のパイロット信号を送信側局発信号を用いてアップコンバートするようにし、受信装置側では、受信信号を受信側局発信号を用いてダウンコンバートし、ダウンコンバート後の信号からパイロット信号を抽出して、そのパイロット信号と受信装置側で生成したパイロット信号との周波数が一致するように、受信側局発信号を発生する局部発振器をフィードバック制御することが提案されている（例えば、特許文献１参照）。
【０００４】
つまり、この提案の送受信システムでは、送信装置にてアップコンバートされた伝送信号とパイロット信号とは、送信側局発信号と同様に周波数変動することから、受信装置側では、ダウンコンバート後のパイロット信号と受信装置側で生成したパイロット信号との周波数のずれから、送信側局発信号の周波数変動を検出し、そのずれがなくなるように受信側局発信号の周波数を変動させることで、送信側局発信号が周波数変動しても、受信装置側で元の伝送信号を復元できるようにしているのである。
【特許文献１】特開２００４−１７３１０９号公報
【発明の開示】
【発明が解決しようとする課題】
【０００５】
しかしながら、上記提案の送受信システムでは、受信側局発信号を発生する局部発振器を、受信側局発信号を用いてダウンコンバートしたパイロット信号を用いてフィードバック制御することから、受信側局発信号には受信信号の周波数変動に対して位相遅れが生じ、ダウンコンバート後の伝送信号から送信側局発信号の周波数変動成分を完全に除去することができないという問題があった。
【０００６】
つまり、上記提案の送受信システムでは、受信側局発信号の周波数を送信側局発信号の周波数に追従して変動させることはできるものの、制御系の遅れによって、受信側局発信号と受信信号との位相を完全に一致させることができないことから、受信装置側で得られる伝送信号から、周波数変動成分を完全に除去することはできないのである。
【０００７】
本発明は、こうした問題に鑑みなされたもので、伝送信号とパイロット信号とをアップコンバートして送信する送信装置からの送信電波を受信し、その受信信号をダウンコンバートすることにより元の伝送信号を復元する受信装置において、ダウンコンバート後のパイロット信号を用いて元の伝送信号を正確に復元できるようにすることを目的とする。
【課題を解決するための手段】
【０００８】
かかる目的を達成するためになされた請求項１に記載の発明は、所定の帯域幅を有する伝送信号と、一定周波数で帯域幅のないパイロット信号とを混合し、該混合信号を送信側局発信号を用いてアップコンバートして送信アンテナから放射する送信装置を備えた送受信システムにおいて、前記送信装置からの送信電波を受信アンテナにて受信し、該受信信号から、前記送信装置がアップコンバートする前の元の伝送信号を復元するのに使用される受信装置であって、
前記受信信号を受信側局発信号を用いてダウンコンバートする周波数変換手段と、
該周波数変換手段にてダウンコンバートされた信号を、前記伝送信号に対応した受信伝送信号と前記パイロット信号に対応した受信パイロット信号とに分離する分離手段と、
該分離手段により分離された受信パイロット信号を一定周波数の基準信号にて周波数変換することにより、前記受信伝送信号から元の伝送信号を復元するための補正信号を生成する補正信号生成手段と、
前記分離手段にて分離された受信伝送信号を前記補正信号にて周波数変換することにより、前記送信装置がアップコンバートする前の元の伝送信号を復元する伝送信号復元手段と、
を備え、
前記分離手段は、
前記周波数変換手段にてダウンコンバートされた信号を２分配する分配器と、
前記分配器の一方の出力端子から前記補正信号生成手段に至る伝送経路上に設けられ、前記受信パイロット信号を選択的に通過させる、セラミックフィルタからなる第１バンドパスフィルタと、
前記分配器の他方の出力端子から前記伝送信号復元手段に至る伝送経路上に設けられ、前記受信伝送信号を選択的に通過させる、ＳＡＷフィルタからなる第２バンドパスフィルタと、
からなり、
前記第２バンドパスフィルタは、前記受信パイロット信号が、前記第１バンドパスフィルタを通過し、前記補正信号生成手段にて前記補正信号に変換されてから、前記伝送信号復元手段に入力されるまでの信号遅延時間と略同一の遅延時間で、前記受信伝送信号を遅延させるよう構成されていることを特徴とする。
【００１０】
一方、請求項２に記載の発明は、  所定の帯域幅を有する伝送信号と、一定周波数で帯域幅のないパイロット信号とを混合し、該混合信号を送信側局発信号を用いてアップコンバートして送信アンテナから放射する送信装置と、該送信装置からの送信電波を受信アンテナにて受信し、該受信信号を受信側局発信号を用いてダウンコンバートすることにより、前記伝送信号を復元する受信装置と、を備えた送受信システムであって、前記受信装置として、請求項１又は請求項２に記載の受信装置を備えたことを特徴とする。
【発明の効果】
【００１１】
請求項１に記載の受信装置においては、周波数変換手段が、受信アンテナからの受信信号を受信側局発信号を用いてダウンコンバートし、分離手段が、そのダウンコンバート後の信号を、受信伝送信号と受信パイロット信号とに分離する。そして、この分離手段により分離された受信パイロット信号は、補正信号生成手段にて一定周波数の基準信号を用いて周波数変換されることにより、受信伝送信号から元の伝送信号を復元するための補正信号に変換され、伝送信号復元手段が、その補正信号を用いて受信伝送信号を周波数変換することにより、送信装置がアップコンバートする前の元の伝送信号を復元する。
【００１２】
つまり、例えば、送信側局発信号の周波数がｆｔで、その変動量が△ｆｔであり、受信側局発信号の周波数がｆｒで、その変動量が△ｆｒであるとすると、受信装置側で受信信号をダウンコンバートすることにより得られる受信伝送信号は、送信装置側で生成された元の伝送信号の周波数に対して、「（ｆｔ−ｆｒ）＋△ｆｔ＋△ｆｒ」だけ周波数がずれることになるが、この周波数のずれ（周波数変動）は、受信装置側で得られた受信パイロット信号にも生じることになることから、本発明では、その受信パイロット信号を、受信装置側で生成した基準信号を用いて周波数変換することにより、受信伝送信号と同じ周波数変動成分を有する補正信号を生成し、この補正信号にて受信伝送信号の周波数を補正することにより、元の伝送信号を復元するようにしているのである。
【００１３】
従って、本発明によれば、送信装置から受信装置に送信側局発信号を送信することなく、受信装置側で、送信装置がアップコンバートする前の元の伝送信号を正確に復元することができる。
【００１４】
ところで、本発明の受信装置においては、受信パイロット信号を用いて生成した補正信号を、受信側局発信号を発生する局部発振器のフィードバック制御に用いるのではなく、受信伝送信号の周波数補正に用いるようにしているので、従来装置のように、受信側局発信号が受信信号に対して位相遅れを生じる、といったことはない。
【００１５】
しかし、伝送信号復元手段への入力信号の内、受信伝送信号は、分離手段にて受信信号から分離されるだけであるが、補正信号は、分離手段にて受信信号から分離された受信パイロット信号を基準信号にて周波数変換することにより生成されることから、これら各信号には時間的なずれ（位相差）が生じてしまう。そして、このように上記各信号に位相差が生じると、伝送信号復元手段において、受信伝送信号の周波数変動成分を補正信号の周波数変動成分にて完全に相殺することができなくなり、最終的に復元される伝送信号には、これら両信号の位相差によって生じる変動成分が残ってしまう。
【００１６】
そこで、本発明では、分離手段を、周波数変換手段にてダウンコンバートされた信号を２分配する分配器と、この分配器の一方の出力端子から補正信号生成手段に至る伝送経路上に設けられて受信パイロット信号を選択的に通過させる第１バンドパスフィルタと、分配器の他方の出力端子から伝送信号復元手段に至る伝送経路上に設けられて受信伝送信号を選択的に通過させる第２バンドパスフィルタとから構成し、しかも、第１バンドパスフィルタを、信号の伝送遅延時間が比較的短いセラミックフィルタにて構成し、第２バンドパスフィルタを、帯域幅及び信号の遅延時間を適宜設定可能なＳＡＷフィルタにて構成している。
そして、第２バンドパフフィルタによる受信伝送信号の遅延時間は、受信パイロット信号が、第１バンドパスフィルタを通過し、補正信号生成手段にて補正信号に変換されてから、伝送信号復元手段に入力されるまで、の信号遅延時間と略同一の遅延時間に設定される。
【００１７】
この結果、本発明の受信装置によれば、伝送信号復元手段へ入力される受信伝送信号と補正信号との位相を完全（略完全）に一致させて、最終的に得られる伝送信号から周波数変動成分を完全（又は略完全）に除去することが可能となる。
【００１９】
一方、請求項２に記載の送受信システムによれば、受信装置として、本発明（請求項１）の受信装置を備えることから、受信装置側で、送信装置が送信のためにアップコンバートする前の元の伝送信号を正確に復元することができるようになり、伝送信号を高品質で送受信し得る送受信システムを構築することが可能となる。
【発明を実施するための最良の形態】
【００２０】
以下に本発明の一実施形態を図面と共に説明する。
図１は、本発明が適用された実施形態の送受信システムの構成を表すブロック図であり、（ａ）は送受信システム全体の構成を、（ｂ）は送信装置の構成を、（ｃ）は受信装置の構成を、それぞれ表している。
【００２１】
図１（ａ）に示すように、本実施形態の送受信システムは、地上波デジタル放送用テレビ放送信号の中間周波信号（地上波デジタルＩＦ信号：中心周波数３７．１５ＭＨｚ）を伝送信号として、テレビ放送局の送信所間で送受信するのに使用されるものであり、伝送信号（地上波デジタルＩＦ信号）をマイクロ波帯にアップコンバートして送信する送信装置３０と、この送信装置３０からの送信電波を受信してダウンコンバートすることにより伝送信号（地上波デジタルＩＦ信号）を復元する受信装置５０とから構成されている。
【００２２】
図１（ｂ）に示すように、送信装置３０には、地上波デジタルＩＦ信号を入力するための入力端子Ｔ１と、この入力端子Ｔ１からの入力信号の内、地上波デジタルＩＦ信号のみを選択的に通過させるバンドパスフィルタ（ＢＰＦ）３２と、このＢＰＦ３２を通過した地上波デジタルＩＦ信号を増幅する増幅回路３４とが備えられている。
【００２３】
また、送信装置３０には、地上波デジタルＩＦ信号とほぼ同じ周波数帯で一定周波数ｆｐ（例えば、３３．１５ＭＨｚ）のパイロット信号（ＰＩＬＯＴ）を発生する発振器３６と、地上波デジタルＩＦ信号及びパイロット信号（ＰＩＬＯＴ）をＶＨＦ帯にアップコンバートするのに必要な所定周波数ｆｕ（例えば２６０ＭＨｚ）の送信側第１局発信号を発生する発振器３８と、この送信側第１局発信号を用いてＶＨＦ帯にアップコンバートされた地上波デジタルＩＦ信号及びパイロット信号（ＰＩＬＯＴ）を送信用のマイクロ波帯にアップコンバートするのに必要な所定周波数ｆｔ（例えば、６ＧＨｚ）の送信側第２局発信号を発生する発振器４０とが設けられている。
【００２４】
そして、発振器３６が発生したパイロット信号（ＰＩＬＯＴ）は、方向性結合器３７を介して、増幅回路３４にて増幅された地上波デジタルＩＦ信号に重畳される。また、このように地上波デジタルＩＦ信号にパイロット信号（ＰＩＬＯＴ）を重畳した伝送信号（地上波デジタルＩＦ信号＋ＰＩＬＯＴ）は、ミキサ３９に入力され、このミキサ３９にて、発振器３８が発生した第１局発信号と混合されることにより、ＶＨＦ帯の伝送信号にアップコンバートされる。また更に、このアップコンバート後の伝送信号は、ミキサ４１に入力され、このミキサ４１にて、発振器４０が発生した第２局発信号と混合されることにより、マイクロ波帯の伝送信号にアップコンバートされる。
【００２５】
また、ミキサ４１の出力側にはバンドパスフィルタ（ＢＰＦ）４２が設けられており、このＢＰＦ４２では、ミキサ３９、４１にて順にアップコンバートされたマイクロ波帯の伝送信号（地上波デジタルＩＦ信号＋ＰＩＬＯＴ）のみが選択的に抽出される。そして、ＢＰＦ４２にて選択的に抽出されたアップコンバート後の伝送信号（地上波デジタルＩＦ信号＋ＰＩＬＯＴ）は、マイクロ波用の増幅回路４４に入力され、この増幅回路４４にて所定レベルまで増幅された後、送信アンテナ４６から受信装置５０に向けて送信される。
【００２６】
一方、受信装置５０には、受信アンテナ５１からの受信信号を増幅するマイクロ波用の増幅回路５２と、この増幅回路５２にて増幅された受信信号をダウンコンバートするのに必要な所定周波数ｆｒ（例えば、６ＧＨｚ）の受信側局発信号を発生する発振器５４と、この発振器５４が発生した受信側局発信号と増幅回路５２にて増幅された受信信号とを混合することにより、受信信号をダウンコンバートするミキサ５６と、このミキサ５６にてダウンコンバートされた受信信号を２分配する分配器５８とが備えられている。
【００２７】
なお、本実施形態では、受信側局発信号の周波数ｆｒは、送信側第２局発信号と同じ周波数ｆｔに設定されている。
そして、この分配器５８にて２分配された一方の受信信号は、地上波デジタルＩＦ信号に対応した信号成分のみを受信伝送信号（地上波デジタルＩＦ信号′、中心周波数：２９７．１５ＭＨｚ）として選択的に通過させるバンドパスフィルタ（ＢＰＦ）６０を介して、ミキサ８２に入力される。
【００２８】
一方、分配器５８にて２分配された他方の受信信号は、送信装置３０側でミリ波帯にアップコンバートされる前のパイロット信号（ＰＩＬＯＴ′、周波数；２９３．１５ＭＨｚ）のみを選択的に通過させるバンドパスフィルタ（ＢＰＦ）６２を介して、ミキサ７２に入力される。
【００２９】
また、受信装置５０には、このＢＰＦ６２を通過したパイロット信号（ＰＩＬＯＴ′）を第１中間信号（例えば、周波数：１０．７ＭＨｚ）に周波数変換（ダウンコンバート）するのに必要な所定周波数ｆｓ１（例えば、２８２．４５ＭＨｚ）の第１基準信号（ＳＢＡＳＥ１）を発生する発振器６４と、送信装置３０側でアップコンバートされる前のパイロット信号（ＰＩＬＯＴ）と同じ周波数ｆｓ１（＝ｆｐ＝３３．１５ＭＨｚ）の第２基準信号（ＳＢＡＳＥ２）を発生する発振器６８とが設けられており、発振器６４が発生した第１基準信号（ＳＢＡＳＥ１）は、分配器７０を介して、ミキサ７２に入力される。
【００３０】
この結果、ミキサ７２では、受信側局発信号を用いてダウンコンバートした受信信号に含まれる受信パイロット信号（周波数；２９３．１５ＭＨｚ）と第１基準信号（ＳＢＡＳＥ１）とが混合される。そして、このようにミキサ７２にて混合された信号は、バンドパスフィルタ（ＢＰＦ）７４に入力され、このＢＰＦ７４にて、受信パイロット信号と第１基準信号との差の周波数（例えば、１０．７ＭＨｚ）を有する信号成分が、第１中間信号として選択的に抽出される。
【００３１】
また、発振器６４が発生した第１基準信号（ＳＢＡＳＥ１）は、分配器７０を介して、ミキサ７６にも入力され、このミキサ７６にて、発振器６８が発生した第２基準信号（ＳＢＡＳＥ２）と混合される。そして、このようにミキサ７６にて混合された信号は、バンドパスフィルタ（ＢＰＦ）７８に入力され、このＢＰＦ７８にて、各基準信号（ＳＢＡＳＥ１、ＳＢＡＳＥ２）の差の周波数（例えば、２４９．３ＭＨｚ）を有する信号成分が、第２中間信号として選択的に抽出される。
【００３２】
また、ＢＰＦ７４及びＢＰＦ７８にて選択的に抽出された第１中間信号と第２中間信号とは、それぞれ、ミキサ８０に入力されて混合された後、バンドパスフィルタ８１を通過することにより、送信装置３０側の第１局発信号と同じ周波数ｆｈ（＝ｆｕ＝２６０ＭＨｚ）を有する補正信号に変換される。
【００３３】
そして、この補正信号は、ミキサ８２に入力され、このミキサ８２にて、ＢＰＦ６０により抽出された受信伝送信号（地上波デジタルＩＦ信号′、中心周波数：２９７．１５ＭＨｚ）と混合される。この結果、ミキサ８２では、受信伝送信号（地上波デジタルＩＦ信号′）が、送信装置３０側でアップコンバートされる前の元の地上波デジタルＩＦ信号（中心周波数：３７．１５ＭＨｚ）に周波数変換（ダウンコンバート）されることになる。
【００３４】
そして、このようにミキサ８２で周波数変換（ダウンコンバート）された地上波デジタルＩＦ信号は、バンドパスフィルタ（ＢＰＦ）８４を介して、増幅回路８６に入力され、増幅回路８６にて所定レベルまで増幅された後、バンドパスフィルタ（ＢＰＦ）８８、出力端子Ｔ２を介して、所定の放送機器に出力される。
【００３５】
このように、本実施形態の送受信システムにおいては、送信装置３０にて、地上波デジタルＩＦ信号とパイロット信号（ＰＩＬＯＴ）とを混合して、その混合信号を、周波数ｆｕの送信側第１局発信号及び周波数ｆｔの送信側第２局発信号を用いてマイクロ波帯へアップコンバートし、そのアップコンバート後の伝送信号を無線にて送信する。
【００３６】
一方、受信装置５０側では、送信装置３０からの送信電波を受信アンテナ５１にて受信し、その受信信号を、送信側第２局発信号と同じ周波数ｆｒ（＝ｆｔ）の受信側局発信号を用いてダウンコンバートし、ダウンコンバート後の受信信号を、地上波デジタルＩＦ信号に対応した受信伝送信号（地上波デジタルＩＦ信号′）と、パイロット信号（ＰＩＬＯＴ）に対応した受信パイロット信号（ＰＩＬＯＴ′）とに分離する。
【００３７】
また、受信装置５０側では、受信パイロット信号（ＰＩＬＯＴ′）を第１基準信号（ＳＢＡＳＥ１）と第２基準信号（ＳＢＡＳＥ２）とを用いて２段階に周波数変換することにより、送信側第１局発信号と同じ周波数ｆｈ（＝ｆｔ）を有する補正信号を生成し、この補正信号と受信伝送信号（地上波デジタルＩＦ信号′）とを混合することにより、受信伝送信号（地上波デジタルＩＦ′）を周波数変換し、その周波数変換後の信号の中から、送信装置３０がアップコンバートする前の元の地上波デジタルＩＦ信号を抽出する。
【００３８】
従って、送信側局発信号や受信側局発信号に周波数変動が生じたとしても、受信装置５０側では、その周波数変動の影響を受けることなく伝送信号（地上波デジタルＩＦ信号）を正確に復元できる。
【００３９】
つまり、送信側第１局発信号の周波変動を△ｆｕ、送信側第２局発信号の周波数変動を△ｆｔ、受信側局発信号の周波変動を△ｆｒ、とした場合、受信装置５０側で受信信号をダウンコンバートすることにより得られる受信伝送信号（地上波デジタルＩＦ信号′）は、送信装置３０側でアップコンバートされる前の地上波デジタルＩＦ信号に対して、「△ｆｕ＋△ｆｔ＋△ｆｒ」だけ周波数がずれることになるが、この周波数誤差は、受信装置５０側で受信信号をダウンコンバートすることにより得られた受信パイロット信号（ＰＩＬＯＴ′）にも生じる。
【００４０】
そして、本実施形態では、この受信パイロット信号（ＰＩＬＯＴ′）を周波数変換することにより、補正信号を生成することから、この補正信号にも受信伝送信号（地上波デジタルＩＦ信号′）と同様の周波数誤差「△ｆｕ＋△ｆｔ＋△ｆｒ」が生じることになる。
【００４１】
よって、ミキサ８２及びＢＰＦ８４を介して最終的に得られる地上波デジタルＩＦ信号は、周波数誤差「△ｆｕ＋△ｆｔ＋△ｆｒ」分を除去した正規の地上波デジタルＩＦ信号となり、受信装置５０では、送信装置３０がアップコンバートする前の地上波デジタルＩＦ信号を正確に復元できるようになるのである。
【００４２】
ところで、本実施形態の受信装置５０は、受信パイロット信号（ＰＩＬＯＴ′）から補正信号を生成し、ミキサ８２にて、この補正信号と受信伝送信号（地上波デジタルＩＦ信号′）とを混合することにより、送信装置３０にてアップコンバートされる前の元の伝送信号（地上波デジタルＩＦ信号）を復元するよう構成されているが、ミキサ５６から分配器５８及びＢＰＦ６０を通ってミキサ８２に至る伝送経路で生じる受信伝送信号（地上波デジタルＩＦ信号′）の伝送時間と、ミキサ５６から分配器５８、ＢＰＦ６２、ミキサ７２、ＢＰＦ７４、ミキサ８０、ＢＰＦ８１を通ってミキサ８２に至る伝送経路で生じる受信パイロット信号（ＰＩＬＯＴ′）及び補正信号の伝送時間とに時間差が生じ、受信パイロット信号の周波数変動成分と補正信号の周波数変動成分とに位相差が生じると、ミキサ８２にて、受信伝送信号（地上波デジタルＩＦ信号′）の周波数変動成分を補正信号の周波数変動成分にて相殺することができなくなり、最終的に復元される伝送信号（地上波デジタルＩＦ信号）には、これら両信号の位相差によって生じる周波数変動成分が残ってしまう。
【００４３】
そこで、本実施形態では、ミキサ５６から分配器５８及びＢＰＦ６０を通ってミキサ８２に至る伝送経路で生じる受信伝送信号（地上波デジタルＩＦ信号′）の伝送時間と、ミキサ５６から分配器５８、ＢＰＦ６２、ミキサ７２、ＢＰＦ７４、ミキサ８０、ＢＰＦ８１を通ってミキサ８２に至る伝送経路で生じる受信パイロット信号（ＰＩＬＯＴ′）及び補正信号の伝送時間とを一致させるために、ＢＰＦ６０で生じる受信伝送信号（地上波デジタルＩＦ信号′）の伝送遅延時間を、ＢＰＦ６２、ＢＰＦ７４、ＢＰＦ８１で生じる受信パイロット信号（ＰＩＬＯＴ′）、第１中間信号、補正信号の伝送遅延時間を加算した遅延時間に設定している。
【００４４】
具体的には、帯域幅のない受信パイロット信号（ＰＩＬＯＴ′）、第１中間信号、及び、補正信号を選択的に通過させるＢＰＦ６２、ＢＰＦ７４、ＢＰＦ８１には、各信号の伝送遅延時間が比較的短いセラミックフィルタ（セラフィル）を使用し、地上波デジタル放送１チャンネル分の帯域幅を有する受信伝送信号（地上波デジタルＩＦ信号′）を選択的に通過させるＢＰＦ６０には、帯域幅及び信号の遅延時間を適宜設定可能なＳＡＷフィルタ（ＳＡＷ：Surface Acoustic Wave（表面弾性波））を用い、ＢＰＦ６０を構成するＳＡＷフィルタの遅延時間を、ＢＰＦ６２、ＢＰＦ７４、ＢＰＦ８１で生じる各信号の遅延時間を加算した遅延時間と一致させることで、ミキサ８２にて混合される補正信号と受信伝送信号（地上波デジタルＩＦ信号′）との周波数変動を完全に一致させ、ミキサ８２及びＢＰＦ８４を介して、周波数変動のない安定した地上波デジタルＩＦ信号を復元できるようにしている。
【００４５】
また、本実施形態の受信装置５０では、ミキサ８０で第１中間信号と第２中間信号とを混合することにより補正信号を生成することから、第１基準信号（ＳＢＡＳＥ１）の周波数変動に伴いこれら各中間信号が周波数変動し、各中間信号がミキサ８０に入力される際に、その周波数変動の位相がずれていると、補正信号にも、その位相のずれに伴う周波数変動が生じることになる。
【００４６】
そこで、本実施形態では、第１基準信号（ＳＢＡＳＥ１）の周波数が変動して、第１中間信号と第２中間信号とにその周波数変動成分が重畳されたとしても、ミキサ８０にて、その周波数変動成分を補正信号から除去することができるように、第１中間信号を通過させるＢＰＦ７４と第２中間信号を通過させるＢＰＦ７８とを、同じ遅延特性のセラミックフィルタにより構成している。
【００４７】
よって、本実施形態の送受信システムによれば、受信装置５０において、送信装置３０がアップコンバートする前の元の伝送信号（地上波デジタルＩＦ信号）を極めて正確に再生することができるようになる。
【００４８】
なお、本実施形態の受信装置５０において、発振器５４及びミキサ５６は、本発明の周波数変換手段に相当し、分配器５８及びＢＰＦ６０、６２は、本発明の分離手段に相当し、発振器６４、６８、分配器７０，ミキサ７２、７６、８０、ＢＰＦ７４、７８、８１は、本発明の補正信号生成手段に相当し、ミキサ８２及びＢＰＦ８４は、本発明の伝送信号復元手段に相当する。
【００４９】
以上、本発明の一実施形態について説明したが、本発明は、上記実施形態に限定されるものではなく、本発明の要旨を逸脱しない範囲内にて、種々の態様を採ることができる。
例えば、上記実施形態では、送信装置３０側では、地上波デジタルＩＦ信号とパイロット信号との混合信号を２段階でアップコンバートすることにより送信信号を生成し、受信装置５０側では、受信信号をダウンコンバートして得られた受信パイロット信号（ＰＩＬＯＴ′）を２回周波数変換することにより補正信号を生成するものとして説明したが、送信装置３０側では、図２（ａ）に示すように、地上波デジタルＩＦ信号とパイロット信号との混合信号を、発振器４０とミキサ４１とを用いて一回だけアップコンバートすることにより、マイクロ波帯の送信信号を生成し、受信装置５０側では、図２（ｂ）に示すように、発振器６６とミキサ６７とを用いて、一つの基準信号（ＳＢＡＳＥ）にて一回だけアップコンバートすることにより補正信号を生成するようにしてもよい。
【００５０】
なお、この場合、発振器５４の発振周波数ｆｒは、送信装置３０の発振器４０の発振周波数ｆｔとは異なる周波数に設定し、基準信号（ＳＢＡＳＥ）を発生する発信機６６の発振周波数ｆｓは、送信装置３０側でパイロット信号（ＰＩＬＯＴ）を生成する発振器３６と同じ発振周波数ｆｐとすれば、補正信号として、発振器５４の発振周波数ｆｒと発振器４０の発振周波数ｆｔとの差に応じた周波数ｆｈで、且つ、ダウンコンバート後の受信伝送信号（地上波デジタルＩＦ信号′）に含まれる各局発信号ｆｔ、ｆｒの周波数変動成分△ｆｔ＋△ｆｒ）を含む信号を生成することができるようになり、ミキサ８２にて、この補正信号と受信伝送信号（地上波デジタルＩＦ信号′）とを混合することで、送信装置３０側でアップコンバートされる前の元の伝送信号（地上波デジタルＩＦ信号）を復元することができるようになる。
【００５１】
そして、この受信装置５０においても、上記実施形態と同様に、ＢＰＦ６０をＳＡＷフィルタにて構成し、ＢＰＦ６２及びＢＰＦ８１をセラミックフィルタにて構成し、ＢＰＦ６０で生じる受信伝送信号の遅延時間を、ＢＰＦ６２及びＢＰＦ８１で生じる受信パイロット信号及び補正信号の遅延時間を加算した時間と一致させることで、ミキサ８２に入力される各信号の周波数数変動の位相を一致させて、伝送信号の復元精度を向上することができるようになる。
【００５２】
また次に、上記実施形態では、テレビ放送の送信所間で地上波デジタルＩＦ信号をマイクロ波に周波数変換して無線伝送する送受信システムについて説明したが、本発明において、伝送信号としては、地上波デジタルＩＦ信号に限定されるものではなく、また、その伝送信号を無線伝送する周波数としても、マイクロ波に限定されるものではない。つまり、任意の信号を任意の周波数に周波数変換する場合でも、同様の効果を得ることができる。
【図面の簡単な説明】
【００５３】
【図１】実施形態の送受信システムの構成を表すブロック図である。
【図２】送信装置及び受信装置の変形例を表すブロック図である。
【符号の説明】
【００５４】
３０…送信装置、Ｔ１…入力端子、３２，４２…ＢＰＦ（バンドパスフィルタ）、３４，４４…増幅回路、３６，３８，４０…発振器、３７…方向性結合器、３９，４１…ミキサ、４６…送信アンテナ、５０…受信装置、５１…受信アンテナ、５２，８６…増幅回路、５４，６４，６６，６８…発振器、５６，６７，７２，７６，８０，８２…ミキサ、５８，７０…分配器、６０，６２，７４，７８，８１，８４，８８…ＢＰＦ（バンドパスフィルタ）、Ｔ２…出力端子。
【図１】
0004791180.tif 000002
【図２】
0004791180.tif 000003